(57)【要約】【課題】  装置側からのローカル調整と通信回線を介したリモート調整を行えるようにすることにより、ローカル側で精度よく調整を行うことができ、しかもセキュリティを高めることができる情報送出装置を提供する。【解決手段】  リモコン３５を操作するとローカル側において映像の明るさを調整することができ、調整された映像は着信したテレビ電話端末機１７に送出される。リモート側の明るさの調整は電話回線１５を介して行われるが、自己の電話番号を通知してきたものだけを接続するので、接続の度にパスワードを入力する手間が省けるとともにセキュリティを高められる。再現度合いはテレビ電話端末機１７の特性により異なるので、ＤＴＭＦ信号ｆ１を送出することで、調整されている映像の明るさをリモート側であるテレビ電話端末機１７側における液晶表示部の再現性に応じて調整できる。【選択図】        図１
2006101122.tif 000002
【特許請求の範囲】
【請求項１】
通信ネットワークを介して発呼したテレビ電話端末機との間で通信が可能であって、自己の電話番号を通知してきたテレビ電話端末機に対して画像または／及び音声を含む情報を送出する情報送出装置において、
当該情報送出装置に付設され、操作者によって操作される操作手段と、
前記操作手段の操作に応じて前記テレビ電話端末機に送出する情報を所望レベルに調整する第１の調整手段と、
前記第１の調整手段による調整に応じて情報を調整し、調整情報として前記テレビ電話端末機に対して送出する送出手段と、
前記テレビ電話端末機から送出されたＤＴＭＦ（Dial Tone Multi Frequency）信号に応じて前記調整情報をさらに調整する第２の調整手段と、
を備えていることを特徴とする情報送出装置。
【請求項２】
請求項１に記載の情報送出装置において、
前記第１の調整手段は、提供可能な情報のうちの所定範囲を所望レベルに調整し、
前記第２の調整手段は、前記所定範囲を移動させる調整を行うことを特徴とする情報送出装置。
【請求項３】
請求項１に記載の情報送出装置において、
前記第１の調整手段は、提供可能な情報のうちの所定範囲を所望レベルに調整するとともに、前記所定範囲を調整可能な領域を設定し、
前記第２の調整手段は、前記所定範囲を前記領域内で移動させる調整を行うことを特徴とする情報送出装置。
【請求項４】
請求項１から３のいずれかに記載の情報送出装置において、
前記第１の調整手段は、予め設定されている既定レベルに対して前記所望レベルを相対的に微調整することができることを特徴とする情報送出装置。
【請求項５】
請求項１から４のいずれかに記載の情報送出装置において、
前記第１の調整手段の調整は、前記第２の調整手段の調整よりも優先されることを特徴とする情報送出装置。
【請求項６】
請求項１から４のいずれかに記載の情報送出装置において、
前記第２の調整手段の調整は、前記第１の調整手段の調整よりも優先されることを特徴とする情報送出装置。
【請求項７】
通信ネットワークを介して発呼したテレビ電話端末機との間で通信が可能であって、自己の電話番号を通知してきたテレビ電話端末機に対して画像または／及び音声を含む情報を送出する情報送出装置において、
当該情報送出装置に付設され、操作者によって操作される操作手段と、
前記操作手段の操作に応じて前記テレビ電話端末機に送出する情報を所望レベルに調整する第１の調整手段と、
前記第１の調整手段による調整に応じて情報を調整し、調整情報として前記テレビ電話端末機に対して送出する送出手段と、
前記テレビ電話端末機から送出されたＤＴＭＦ（Dial Tone Multi Frequency）信号に応じて前記調整情報をさらに調整する第２の調整手段と、
着信が許可されたテレビ電話端末機の電話番号と、当該テレビ電話端末機により情報を調整した際の調整値とを対応付けて記憶する記憶手段と、
着信が許可されたテレビ電話端末機の電話番号が前記記憶手段に記憶されている場合には、その電話番号に対応する調整値で情報を調整する制御手段と、
を備えていることを特徴とすることを特徴とする情報送出装置。
【請求項８】
請求項１から７のいずれかに記載の情報送出装置において、
前記第２の調整手段による調整ステップは、前記第１の調整手段のものよりも大きいことを特徴とすることを特徴とする情報送出装置。
【請求項９】
請求項１から８のいずれかに記載の情報送出装置において、
前記第１の調整手段及び前記第２の調整手段は、情報としての画像の明るさを調整することを特徴とする情報送出装置。
【発明の詳細な説明】
【技術分野】
【０００１】
本発明は、画像または／及び音声を含む情報をテレビ電話端末機に送出する情報送出装置に関する。
【背景技術】
【０００２】
従来、この種の装置として、携帯電話からのＤＴＭＦ(Dial Tone Multiple Frequency)信号を用いて、携帯電話から離れた場所に設置されているカメラを制御し、カメラから送信される情報である画像のアングルやズームを調整する『第一の装置』が挙げられる（例えば、特許文献１〜３参照）。この第一の装置は、画像に係る特定の調整について、遠隔からのＤＴＭＦ信号によるリモート調整が可能である。
【０００３】
また、携帯電話が有するカメラの画像を、携帯電話に付設されたリモコンの画面表示部に表示させる構成を備えた第二の装置がある。この第二の装置では、リモコンの画面表示部に表示されたカメラ画像の明るさをリモコンにより調整できるようになっている（例えば、特許文献４参照）。
【特許文献１】特開平９−３３１４０７号公報
【特許文献２】特開平１０−９３９４０号公報
【特許文献３】特開２０００−１３５１９号公報
【特許文献４】特開２００２−５０９９９号公報
【発明の開示】
【発明が解決しようとする課題】
【０００４】
しかしながら、このような構成を有する従来例の場合には、次のような問題がある。
【０００５】
すなわち、従来の装置のうち『第一の装置』は、カメラの画像等をＤＴＭＦ信号によって遠隔調整することが可能であるものの、カメラが設置されているローカル側において調整することができない。したがって、画像等を調整するにはリモート側からしか行うことができず、遠隔の通信に伴う遅延の影響を大きく受けることになり、精度よく調整を行うことが難しいという問題がある。
【０００６】
また、『第一の装置』及び『第二の装置』は、ともに不特定多数のテレビ電話端末機が接続可能であるので、機密性が高い画像、例えば、医療診断用の画像を送るには不向きである。なお、特許文献１では、接続するたびにＤＴＭＦ信号でパスワードを入力させて認証を行っているが、発呼の度にパスワードの入力を行う必要があって煩雑であるという問題がある。
【０００７】
さらに、カメラを備えた装置側で画像を適切に調整したとしても、接続するテレビ電話端末機の液晶が種々の特性を有するので、テレビ電話端末機から見た画像の表示が適切であることは稀である。そのためカメラを備えている装置側で再度画質等の調整を行う必要がある。なお、特許文献４のようにリモコンで画像を調整するものがあるが、これは通信回線を介してのものではなく、カメラを備えた装置に近い場所に操作者がいる場合においてのみ調整ができるだけである。
【０００８】
本発明は、このような事情に鑑みてなされたものであって、装置側からのローカル調整と通信回線を介したリモート調整を行えるようにすることにより、ローカル側で精度よく調整を行うことができ、しかもセキュリティを高めることができる情報送出装置を提供することを目的とする。
【課題を解決するための手段】
【０００９】
本発明は、このような目的を達成するために、次のような構成をとる。
【００１０】
すなわち、請求項1に記載の発明は、通信ネットワークを介して発呼したテレビ電話端末機との間で通信が可能であって、自己の電話番号を通知してきたテレビ電話端末機に対して画像または／及び音声を含む情報を送出する情報送出装置において、当該情報送出装置に付設され、操作者によって操作される操作手段と、前記操作手段の操作に応じて前記テレビ電話端末機に送出する情報を所望レベルに調整する第１の調整手段と、前記第１の調整手段による調整に応じて情報を調整し、調整情報として前記テレビ電話端末機に対して送出する送出手段と、前記テレビ電話端末機から送出されたＤＴＭＦ（Dial Tone Multi Frequency）信号に応じて前記調整情報をさらに調整する第２の調整手段と、を備えていることを特徴とするものである。
【００１１】
［作用・効果］請求項1に記載の発明によれば、操作手段を操作すると、第１の調整手段によりローカル側において情報を調整することができ、調整情報は送出手段を介してテレビ電話端末機に送出される。一方、リモート側における調整は通信ネットワークを介して行われるが、自己の電話番号を通知してきたものだけを接続するので、接続の度にパスワードを入力する手間が省けるとともにセキュリティを向上できる。また、調整情報はテレビ電話端末機で再現されるが、その再現度合いはテレビ電話端末機の特性により異なるものであるので、ＤＴＭＦ信号を送出することで、第２の調整手段により調整情報をリモート側の再現性に応じて調整することができる。
【００１２】
また、本発明において、前記第１の調整手段は、提供可能な情報のうちの所定範囲を所望レベルに調整し、前記第２の調整手段は、前記所定範囲を移動させる調整を行うことが好ましい（請求項２）。第２の調整手段では所定範囲を移動させて調整することにより、第１の調整手段で設定した所定範囲を所望レベルに調整することができる。
【００１３】
また、本発明において、前記第１の調整手段は、提供可能な情報のうちの所定範囲を所望レベルに調整するとともに、前記所定範囲を調整可能な領域を設定し、前記第２の調整手段は、前記所定範囲を前記領域内で移動させる調整を行うことが好ましい（請求項３）。リモート側にあたる第２の調整手段による調整は、通信ネットワークを介して行うことになるので、調整情報をさらに調整した結果が反映されるまでに遅延が生じる。そのためリモート側からの調整が過大になる恐れがあり、過大な調整となった場合には適切な調整に戻すためにさらに時間を要することになる。そこで、調整可能な領域を限定することにより、過大な調整による無駄を抑えることができる。
【００１４】
また、本発明において、前記第１の調整手段は、予め設定されている既定レベルに対して前記所望レベルを相対的に微調整することが好ましい（請求項４）。相対的な微調整で容易に情報を調整できる。
【００１５】
また、本発明において、前記第１の調整手段の調整は、前記第２の調整手段の調整よりも優先されることが好ましい（請求項５）。ローカル側の調整を優先することで、情報を送出する側の意図を優先させることができる。
【００１６】
また、本発明において、前記第２の調整手段の調整は、前記第１の調整手段の調整よりも優先されることが好ましい（請求項６）。リモート側の調整を優先することで、情報を受ける側の意図を優先させることができる。
【００１７】
請求項７に記載の発明は、通信ネットワークを介して発呼したテレビ電話端末機との間で通信が可能であって、自己の電話番号を通知してきたテレビ電話端末機に対して画像または／及び音声を含む情報を送出する情報送出装置において、当該情報送出装置に付設され、操作者によって操作される操作手段と、前記操作手段の操作に応じて前記テレビ電話端末機に送出する情報を所望レベルに調整する第１の調整手段と、前記第１の調整手段による調整に応じて情報を調整し、調整情報として前記テレビ電話端末機に対して送出する送出手段と、前記テレビ電話端末機から送出されたＤＴＭＦ（Dial Tone Multi Frequency）信号に応じて前記調整情報をさらに調整する第２の調整手段と、着信が許可されたテレビ電話端末機の電話番号と、当該テレビ電話端末機により情報を調整した際の調整値とを対応付けて記憶する記憶手段と、着信が許可されたテレビ電話端末機の電話番号が前記記憶手段に記憶されている場合には、その電話番号に対応する調整値で情報を調整する制御手段と、を備えていることを特徴とするものである。
【００１８】
［作用・効果］請求項７に記載の発明によれば、操作手段を操作すると、第１の調整手段によりローカル側において情報を調整することができ、調整情報は送出手段を介してテレビ電話端末機に送出される。一方、リモート側における調整は通信ネットワークを介して行われるが、自己の電話番号を通知してきたものだけを接続するので、接続の度にパスワードを入力する手間が省けるとともにセキュリティを向上できる。また、調整情報はテレビ電話端末機で再現されるが、その再現度合いはテレビ電話端末機の特性により異なるものであるので、ＤＴＭＦ信号を送出することで、第２の調整手段により調整情報をリモート側の再現性に応じて調整することができる。
【００１９】
また、一度でも情報送出装置に接続したテレビ電話端末機は、その電話番号が、第２の調整手段による調整値とが対応付けられて記憶手段に記憶される。テレビ電話端末機が再び情報送出装置に接続された場合には、以前に接続されたテレビ電話端末機であるか否かを制御手段が記憶手段に基づき調べ、接続履歴がある場合には対応する調整値を読み出して情報を調節する。したがって、テレビ電話端末機の再現能力に応じた調整を接続するだけで行うことができる。
【００２０】
また、本発明において、前記第２の調整手段による調整ステップは、前記第１の調整手段のものよりも大きいことが好ましい（請求項８）。通信ネットワークを介しての調整には遅延が存在し、調整ステップを大きくしておいた方が一度の調整で調整情報が大きく変化するので調整しやすい場合がある。
【００２１】
また、本発明において、前記第１の調整手段及び前記第２の調整手段は、情報としての画像の明るさを調整することが好ましい（請求項９）。情報が画像である場合には、第１の調整手段と第２の調整手段によって画像の明るさを所望レベルに調整する。
【発明の効果】
【００２２】
本発明に係る情報送出装置によれば、操作手段を操作することでローカル側において情報を調整することができ、リモート側における調整は自己の電話番号を通知してきたものだけを接続するので、接続の度にパスワードを入力する手間が省けるとともにセキュリティを向上できる。また、調整情報はテレビ電話端末機で再現されるが、ＤＴＭＦ信号を送出して調整情報をリモート側の再現性に応じて調整できる。
【発明を実施するための最良の形態】
【００２３】
以下、図面を参照して本発明の一実施例を説明する。
【００２４】
図１は、実施例に係る情報送出装置の概略構成を示すブロック図である。
【００２５】
この情報送出装置１は一例として、映像化のためのカメラ３と、音声化のためのマイク５を情報提供の手段として備えている。本実施例における情報送出装置１は、情報として画像及び音声を送出する構成を備えている。カメラ３からの映像信号ａ１は映像信号処理部７に与えられ、マイク５からの音声信号ｂ１は音声信号処理部９に与えられる。
【００２６】
映像信号処理部７は、カメラから与えられた映像信号ａ１に対して信号処理、例えば、明るさやコントラストの調節等を施してテレビ電話プロトコル処理部１１へ送信映像ａ２として与える。また、音声信号処理部９は、マイク５から与えられた音声信号ｂ１に対して信号処理、例えば、音量の調節等を施してテレビ電話プロトコル処理部１１へ送信音声ｂ２として与える。テレビ電話プロトコル処理部１１は、受け取った送信映像ａ２及び送信音声ｂ２に対してテレビ電話プロトコルに基づく処理を施して通信制御部１３に対して送信データとして与える。通信制御部１３は、通信ネットワークとしての電話回線１５を介して、電話番号を通知してきたテレビ電話端末機１７との間でテレビ電話通信の制御を行う。また、通信制御部１３は、電話回線１５を通して接続してきたテレビ電話端末機１７から送られてきた音声データや映像データをテレビ電話プロトコル処理部１１に与える。テレビ電話端末機１７は、例えば、携帯電話型であって、音声とともに映像を送受信できるものである。携帯電話型としては、例えば、ＦＯＭＡ／フォーマ（登録商標：株式会社エヌ・ティ・ティ・ドコモ）が挙げられる。
【００２７】
テレビ電話プロトコル処理部１１は、受信した音声データと映像データに基づく受信音声ｃ１と受信映像ｄ１をそれぞれ音声信号処理部１９と映像信号処理部２１に対して与える。音声信号処理部１９は、受信音声ｃ１に対して所定の処理を施してスピーカ２３に音声出力信号ｃ２を与える。また、映像信号処理部２１は、処理を施した映像信号ｄ２を映像合成処理部２５に対して与える。映像合成処理部２５は、映像信号処理部７からの、送信映像ａ２をモニタする送信映像モニタ用信号ｅ１と映像信号ｄ２を合成して、映像出力信号ｄ３として液晶表示部２７に対して与える。
【００２８】
音声信号処理部１９は、受信音声ｃ１を処理してデコード済みのＤＴＭＦ信号ｆ１だけを取り出し、このＤＴＭＦ信号ｆ１を制御部２９に対して与える。制御部２９は、主として上述した映像信号処理部７及び音声信号処理部９を制御するとともに、電話番号と着信可否等の情報を記憶するための記憶部３１に対して読み書きを行う。また、制御部２９には受光部３３が接続されており、受光部３３からの出力信号に応じて各種の制御を行う。この受光部３３へ信号を与えるのが、この情報送出装置１に付設され、着脱自在のリモコン３５である。このリモコン３５は、例えば、赤外線によって受光部３３との間で通信を行うものであり、操作者が音声の音量を調整したり、映像の明るさやコントラストを調整したりするための各種ボタン（図示省略）を備えている。
【００２９】
なお、上記の記憶部３１が本発明における記憶手段に相当する。
【００３０】
制御部２９は、リモコン３５の操作に応じて映像信号処理部７及び音声信号処理部９に対して調整コマンドｃｍｄを与える。調整コマンドｃｍｄを受け取った映像信号処理部７及び音声信号処理部９は、映像信号ａ１及び音声信号ｂ１を調整コマンドｃｍｄに応じて調整し、送信音声ｂ２及び送信映像ａ２としてテレビ電話プロトコル処理部１１に対して与える。また、制御部２９は、ＤＴＭＦ信号ｆ１に応じて調整コマンドｃｍｄを発行し、送信音声ｂ２及び送信映像ａ２をさらに調整する。なお、ＤＭＴＦ信号ｆ１に応じて調整された送信映像ａ２及び送信音声ｂ２は、本発明おける「調整情報」に相当する。なお、詳細は後述するが、発呼してきたテレビ電話端末機１７が着信許可な場合であって、対応する調整値が記憶部３１に記憶されている場合には、その調整値に応じて映像信号処理部７及び音声信号処理部９を制御する。
【００３１】
なお、上述した映像信号処理部７と、音声信号処理部９と、制御部２９とは、本発明における「第１の調整手段」及び「送出手段」に相当する。また、リモコン３５が本発明における「操作手段」に相当し、制御部２９が本発明における「第２の調整手段」に相当する。
【００３２】
ここで図２及び図３を参照して、リモコン３５によるローカル調整と、テレビ電話端末機１７によるリモート調整の概要について説明する。なお、図２（ａ）〜（ｃ）は調整の関係を示す模式図であり、図３は調整可能な領域を設定した場合における調整の関係を示す模式図である。但し、音声も映像も調整に関する概念は同じであるので、映像の「明るさ」を例にとって以下に説明する。
【００３３】
ここでは、一例として、カメラ３で撮影する対象の明るさが図２（ａ）に示すように分布していると定義する。明るさは最小の明るさ（暗い）から、最大の明るさ（明るい）までであり、そのうちリモコン３５で設定するローカル調整は、例えば、図２（ｂ）に示すように、ある明るさの範囲を含む所定範囲ＲＧを所望レベル（情報提供可能な範囲における位置）にすることである。例えば、図２（ｂ）に示すように、所定範囲ＲＧが中央値を含む所望レベルに調整される。そして、テレビ電話端末機１７では、テレビ電話端末機１７側で受信した送信映像ａ２の、テレビ電話端末機１７側における液晶画面における表示度合いに応じてＤＴＭＦ信号ｆ１を送信する。例えば、図２（ｃ）に示すように、所望の表示度合いになるように所定範囲ＲＧを移動させるためのＤＴＭＦ信号ｆ１を送信してリモート調整を行う。送信のためには、例えば、数字キー０〜９までの１０個のキーと、「＊」キーと、「＃」キーとの１２個のキーを利用する。具体的には、明るさの調整のために、例えば、「１」と「７」の数字キーを用いる。
【００３４】
また、リモコン３５では、テレビ電話端末機１７によるリモート調整で調整することができる領域を規制することもできる。例えば、図３に示すように、所定範囲ＲＧの両端側に調整可能な領域Ｒ１を設定したり、所定範囲ＲＧを含む調整可能な領域Ｒ２を設定したりする。このような設定を行うと、リモート調整では、所定範囲ＲＧを、領域Ｒ１，Ｒ２または領域Ｒ２を超えて調整することができないようになる。電話回線を介した調整であるリモート調整では、調整した結果が反映されるまでに遅延が生じることは避けられない。そのためリモート側からの調整が過大になる恐れがあり、過大な調整となった場合には適切な調整に戻すためにさらに時間を要することになる。そこで、調整可能な領域を限定することにより、過大な調整による無駄を抑えることができる。
【００３５】
なお、リモコン３５によるローカル調整は、予め設定されている所定範囲ＲＧのレベル（既定レベル）に対して、所望レベルに相対的に微調整するものとしてもよい。これにより、大きく調整する必要がなく、相対的な微調整で容易に調整を行うことができる。
【００３６】
次に、図４〜図６を参照して、上述した構成の情報送出装置１の動作について説明する。なお、図４は動作説明に供するフローチャートであり、図５は着信許可処理のフローチャートであり、図６は記憶部の内容を示した模式図である。
【００３７】
ここでは、既に発呼してきたテレビ電話端末機１７であって、一度でもリモート調整を行った場合には、図６のような情報が記憶部３１に記憶されているものとする。具体的には、発呼してきたテレビ電話端末機１７の電話番号と、その着信可否の情報と、以前に発呼してきた際に行った明るさの所望レベルに対応する調整値である。着信可否は、例えば、フラグが「１」なら着信許可であり、「０」なら着信拒否であり、リモコン３５によって可否が設定される。制御部２９は、着信がある度に記憶部３１を参照するとともに、接続を許可したテレビ電話端末機１７からリモート調整が行われた場合には、対応する電話番号に調整値を書き込む。
【００３８】
ステップＳ１〜Ｓ６（ローカル調整）
発呼されているか否かを判断し（ステップＳ１）、発呼されていない場合にはリモコン３５が操作されているか否かに応じて処理を分岐する。リモコン３５が操作され、その操作が明るさを「増」させる場合には、レジスタ値を１ステップだけ加算する（ステップＳ４）。その操作が「減」させる場合には、レジスタ値を１ステップだけ減算する（ステップＳ５）。そして、レジスタ値を設定して発呼の判断処理に戻る（ステップＳ１）。レジスタ値は、明るさの調整のための設定値であり、制御部２９によって調整コマンドｃｍｄに変換されて映像信号処理部７に与えられる。すると、映像信号処理部７により明るさが調整されて、その調整が送信映像ａ２及び映像出力信号ｄ３に反映されて液晶表示部２７に出力される。この調整は、情報送出装置１を操作しているオペレータが液晶表示部２７を見ながら、液晶表示部２７における表示が所望のものとなるように所定範囲を移動させて行っている。
【００３９】
なお、上述したように所定範囲を移動させる構成でもよいが、例えば、予め所定範囲を既定レベルに設定しておき、これに対して所望レベルを相対的に微調整する構成としてもよい。このような構成を採用することにより、リモコン３５により相対的な微調整で容易に映像を所望レベルに調整することができる。
【００４０】
テレビ電話端末機１７から発呼がされている場合には、番号通知に応じて処理を分岐する（ステップＳ７）。制御部２９は、発呼してきたテレビ電話端末機１７の電話番号が通知されていない場合には通信を切断する（ステップＳ８）。一方、電話番号が通知されている場合には、着信許可処理を行う（ステップＳ９）。
【００４１】
制御部２９は、まず記憶部３１を参照して、発呼してきたテレビ電話端末機１７の電話番号に対応するものがあるか否かを判断する。対応する電話番号がある場合には、その領域を特定する（ステップＳ２１）。次いで、対応する着信可否の情報を参照し、その内容に応じて処理を分岐する（ステップＳ２２）。つまり、着信拒否になっている場合には通信回線を切断し（ステップＳ２３）、着信可能になっている場合には通信を確立する（ステップＳ２４）。着信可能である場合には、通信を確立した後、対応する明るさの調整値が書き込まれている場合にはその調整値を読み出すとともに、映像信号処理部７にその調整値に応じた調整コマンドｃｍｄを発行する（ステップＳ２５）。
【００４２】
このように一度でも情報送出装置１に接続したテレビ電話端末機１７は、その電話番号が調整値と対応付けられて記憶部３１に記憶されており、そのテレビ電話端末機１７が再び情報送出装置１に接続された場合には、以前に接続されたテレビ電話端末機１７であるか否かを記憶部３１に基づき調べる。そして、接続履歴がある場合には対応する調整値を読み出して明るさを調節するので、テレビ電話端末機１７の再現能力に応じた調整を接続するだけで行うことができる。その結果、接続時に適切な表示から大きくずれることがなく、適切な表示への調整が手間少なくできる。
【００４３】
上記のような着信処理が行われて接続された場合には、以下のような「リモート調整」を行うことができる。
【００４４】
テレビ電話端末機１７のキーが操作されてＤＴＭＦ信号が送信されたか否かに応じて処理を分岐する（ステップＳ１０）。例えば、「１」または「７」の数字キーが押下されてＤＴＭＦ信号が送信された場合であって（ステップＳ１１）、それが「１」の数字キーである場合にはレジスタ値を加算する（ステップＳ１２）。一方、それが「７」の数字キーである場合にはレジスタ値を減算する（ステップＳ１３）。そして、レジスタ値を設定して、対応する調整コマンドｃｍｄを発行することで、数字キーに応じた調整が行われる（ステップＳ１４）。このＤＴＭＦ信号に応じた調整は、数字キーが押下されるごとに例えば１０ステップごとで行われる。これは、電話回線１５を介しての調整には遅延が存在し、調整ステップを大きくしておいた方が一度の調整で調整情報が大きく変化するので調整しやすい場合があるからである。
【００４５】
テレビ電話端末機１７からの調整は、リモコン３５で行われた所定範囲のレベルをさらに調整するものであるが、上述したように予め調整可能な領域が設定されている場合には、その領域を超えては調整できないようになっている（図３）。なお、上記の所定範囲の所望レベルを直接移動させてもよいが、所定範囲を既定レベルで設定しておき、そこを基準にして±で相対的に微増減させるようにしてもよい。
【００４６】
ＤＴＭＦ信号による調整でない場合には、リモコン３５の操作であるか否かに応じて処理を分岐する（ステップＳ１５）。リモコン３５が操作された場合には、上述したステップＳ１１〜Ｓ１４を実行するが、この場合には操作されるごとに例えば１ステップごとで調整が行われる。
【００４７】
テレビ電話端末機１７または情報送出装置１から通信の切断が行われたか否かに応じて処理を分岐する（ステップＳ１６）。つまり、通信が終了するまでは、ステップＳ１０との間を繰り返して実行し、通信が終了された場合にはそれまでの調整に応じたレジスタ値を、対応する電話番号とともに記憶部３１に書き込む（ステップＳ１７）。
【００４８】
上述した構成であると、リモコン３５とテレビ電話端末機１７からのＤＴＭＦ信号による調整が同時に行われる場合が起こり得る。その場合には、リモコン３５側のローカル調整を優先するか、逆にテレビ電話端末機１７のリモート調整を優先するかを設定しておくことが好ましい。前者では、映像の送出側における意図を優先させることができ、後者では、映像を受ける側の意図を優先させることができる。
【００４９】
本実施例に係る情報送出装置１によると、リモコン３５を操作するとローカル側において映像の明るさを調整することができ、調整された映像は着信したテレビ電話端末機１７に送出される。一方、リモート側における明るさの調整は電話回線１５を介して行われるが、自己の電話番号を通知してきたものだけを接続するので、接続の度にパスワードを入力する手間が省けるとともにセキュリティを向上できる。また、明るさが調整された映像はテレビ電話端末機１７の液晶表示部で再現されるが、その再現度合いはテレビ電話端末機１７の特性により異なるものであるので、ＤＴＭＦ信号ｆ１を送出することで、調整されている映像の明るさをリモート側であるテレビ電話端末機１７側における液晶表示部の再現性に応じて調整することができる。
【００５０】
また、一度でも情報送出装置１に接続したテレビ電話端末機１７は、その電話番号が、調整値と対応付けられて記憶部３１に記憶される。テレビ電話端末機１７が再び情報送出装置１に接続された場合には、以前に接続されたテレビ電話端末機１７であるか否かを記憶部３１に基づき調べ、接続履歴がある場合には対応する調整値を読み出して映像の明るさを調節する。したがって、テレビ電話端末機１７の再現能力に応じた適切な調整を接続するだけで行うことができる。
【００５１】
なお、上述した構成の情報送出装置１は、例えば、交通不便の孤島などにおける小病院等で撮影されたレントゲン写真を映像として送信し、小病院から離れた地にある大病院の医者がレントゲン写真を見て診断を行う際に特に有用である。つまり、大病院の医者がテレビ電話端末機１７を操作し、診断に適切な明るさとなるように所望レベルに種々調整することができるからである。また、同時に音声での相互の話し合いも可能であるので、診断に有用な通話も可能である。
【００５２】
本発明は、上述した実施形態に限られることはなく、下記のように変形実施することができる。
【００５３】
（１）上述した実施例では、カメラ３の映像の明るさを調整する場合を例に採って説明したが、映像のコントラストや、マイク５の音量等を調整する場合であって同様に実施可能である。
【００５４】
（２）情報送出装置１は、カメラ３とマイク５を備えず、それらの映像信号ａ１及び音声信号ｂ１を入力するための入力端子を備える構成とし、外付けのカメラとマイクを備えるようにしてもよい。また、液晶表示部２７及びスピーカ２３を備えることなく、映像出力信号ｄ３及び音声出力信号ｃ２を出力する出力端子を備える構成とし、外付けの液晶表示装置とスピーカ装置を備えるようにしてもよい。このような構成とすることにより、ユーザが備えている設備を有効に利用することができる。
【００５５】
（３）情報送出装置１は、上述したように画像及び音声を含む情報を送出するものである必要はなく、画像だけまたは音声だけを情報として送出する構成を採用してもよい。
【００５６】
音声だけの場合には、例えば、心臓の鼓動を音声で送り、テレビ電話端末機１７を操作して所望レベルの音量となるように調整することができる。具体的には、テレビ電話端末機１７のスピーカで音割れしない音量に調整したり、たとえ音割れしても鼓動にまざっている低レベルのノイズ等を聞き分けるための大音量に調整をしたりすることがリモート側で可能である。
【００５７】
（４）上述した情報送出装置１は、着信が許可されたテレビ電話端末機１７の電話番号に対応する調整値を記憶部３１から読み出し、その値で調整を一旦行う構成としているが、記憶部３１に調整値を記憶しない構成とし、最初からテレビ電話端末機１７側でリモート調整を行う構成としてもよい。
【００５８】
（５）テレビ電話端末機１７は、携帯電話型に代えて固定電話型を採用してもよい。
【００５９】
（６）上記実施例における操作手段は、赤外線による非接触式のリモコン３５を用いているが、有線式のリモコンであってもよい。また、情報送出装置１と一体型あるいは着脱式の構成としてもよい。
【図面の簡単な説明】
【００６０】
【図１】実施例に係る情報送出装置の概略構成を示すブロック図である。
【図２】（ａ）〜（ｃ）は調整の関係を示す模式図である。
【図３】調整可能な領域を設定した場合における調整の関係を示す模式図である。
【図４】動作説明に供するフローチャートである。
【図５】着信許可処理のフローチャートである。
【図６】記憶部の内容を示した模式図である。
【符号の説明】
【００６１】
１  …  情報送出装置
３  …  カメラ
５  …  マイク
７  …  映像信号処理部
９  …  音声信号処理部
１１  …  テレビ電話プロトコル処理部
１３  …  通信制御部
１５  …  電話回線
１７  …  テレビ電話端末機
１９  …  音声信号処理部
２１  …  映像信号処理部
２３  …  スピーカ
２５  …  映像合成処理部
２７  …  液晶表示部
２９  …  制御部
３１  …  記憶部
【図１】
2006101122.tif 000003
【図２】
2006101122.tif 000004
【図３】
2006101122.tif 000005
【図４】
2006101122.tif 000006
【図５】
2006101122.tif 000007
【図６】
2006101122.tif 000008